(57)【要約】【課題】汚れセンサーの個体ばらつきや感度差の影響を補正する補正係数を算出しフィルターの寿命判定を行うことで、正確に交換時期を算出でき使用者に報知することのできる空気清浄機を提供することを目的としている。【解決手段】マイクロコンピュータ８は初回通電時に室内においセンサー６の検出信号のセンサー抵抗値Ａとケース内においセンサー７の検出信号のセンサー抵抗値Ｂにより補正係数Ｓ＝Ａ／Ｂを算出し、室内においセンサー６が空気のにおい汚れを検出し、ファンモーター５が回転し空気清浄運転時に室内においセンサー６のセンサー抵抗値Ａ１とケース内においセンサー７のセンサー抵抗値Ｂ１により、フィルター係数Ｔ＝Ａ１／Ｂ１を算出し、フィルター４によるにおい汚れレベルの減衰率Ｚ＝Ｓ／Ｔを算出することで、正確にフィルター交換時期を算出でき使用者に報知することのできる空気清浄機が得られる。【選択図】図１
2013063398.tif 000002
【特許請求の範囲】
【請求項１】
吸気口と排気口を有する本体ケースと、この本体ケース内に設けた空気清浄手段と、前記空気清浄手段を介して室内の空気を前記吸気口から前記本体ケース内に吸気し前記排気口より室内に排気する風路に配置した送風手段と、前記吸気口の近傍に配置し室内の空気の汚れを検出する室内空気汚れ検出手段と、前記空気清浄手段から前記排気口までの風路間に配置し本体ケース内の空気の汚れを検出するケース内空気汚れ検出手段を備えた空気清浄機において、前記室内空気汚れ検出手段の検出信号と前記ケース内空気汚れ検出手段の検出信号を演算処理する制御手段を設け、前記制御手段は、初回通電時に前記室内空気汚れ検出手段の検出信号と前記ケース内空気汚れ検出手段の検出信号から補正係数を算出し、前記室内空気汚れ検出手段の検出した汚れレベルと前記ケース内空気汚れ検出手段の検出した汚れレベルと前記補正係数を演算処理し前記空気清浄手段の作用よる汚れレベルの減衰率を算出するようにしたことを特徴とする空気清浄機。
【請求項２】
室内空気汚れ検出手段の検出した汚れレベルとケース内空気汚れ検出手段の検出した汚れレベルと補正係数を演算処理し算出した空気清浄手段による汚れレベルの減衰率を表示する表示部を設け、減衰率が設定した閾値を下回った場合に表示の色を変化させることを特徴とする請求項１記載の空気清浄機。
【請求項３】
記憶手段を備え、前記記憶手段に少なくとも２つ以上の閾値を設け、一番低い閾値を下回った場合は送風手段の運転を停止することを特徴とする請求項２記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は下記に記載されたものが知られている（例えば、特許文献１参照）。
【０００３】
以下、その空気清浄機について図４を参照しながら説明する。
【０００４】
図４に示すように、前面に吸気口１０２、上面に吹き出し口１０３を配置し、吸気口１０２の本体１０１内に集塵フィルター１０４、さらにファンモーター１０５を備え、ファンモーター１０５の回転により吸気口１０２から吸い込まれた空気は集塵フィルター１０４で集塵され吹き出し口１０３より清浄された空気が吹き出される。
【０００５】
また吸気口１０２に吸気口側汚れセンサー１０６と、吹き出し口１０３に吹き出し口側汚れセンサー１０７が設けられている。
【０００６】
上記構成において、吸気口側汚れセンサー１０６で検知された汚れ度から吹き出し口側汚れセンサー１０７で検知された汚れ度を差し引き、差し引かれて算出された値により集塵フィルター１０４の交換時期を判定する。
【先行技術文献】
【特許文献】
【０００７】
【特許文献１】実開平５−３９６２８号公報
【発明の概要】
【発明が解決しようとする課題】
【０００８】
このような従来の空気清浄機では、吸気口と吹き出し口に備えた汚れセンサーの個体ばらつきや感度差の影響を考慮せずにフィルターの寿命を判定するため、十分なフィルター性能があるのに交換時期と誤判定してしまったり、正確なフィルター寿命算出ができなかったりするという課題を有していた。
【０００９】
そこで、本発明は、このような従来の課題を解決するものであり、汚れセンサーの個体ばらつきや感度差の影響を補正する補正係数を算出しフィルターの寿命判定を行うことで、正確に交換時期を算出でき使用者に報知することのできる空気清浄機を提供することを目的としている。
【課題を解決するための手段】
【００１０】
本発明の空気清浄機は上記目的を達成するために、吸気口と排気口を有する本体ケースと、この本体ケース内に設けた空気清浄手段と、前記空気清浄手段を介して室内の空気を前記吸気口から前記本体ケース内に吸気し前記排気口より室内に排気する風路に配置した送風手段と、前記吸気口の近傍に配置し室内の空気の汚れを検出する室内空気汚れ検出手段と、前記空気清浄手段から前記排気口までの風路間に配置し本体ケース内の空気の汚れを検出するケース内空気汚れ検出手段を備えた空気清浄機において、前記室内空気汚れ検出手段の検出信号と前記ケース内空気汚れ検出手段の検出信号を演算処理する制御手段を設け、前記制御手段は、初回通電時に前記室内空気汚れ検出手段の検出信号と前記ケース内空気汚れ検出手段の検出信号から補正係数を算出し、前記室内空気汚れ検出手段の検出した汚れレベルと前記ケース内空気汚れ検出手段の検出した汚れレベルと前記補正係数を演算処理し前記空気清浄手段の作用による汚れレベルの減衰率を算出するようにしたものである。
【００１１】
この手段により、汚れセンサーの個体ばらつきや感度差の影響を補正する補正係数を算出しフィルターの作用による汚れレベルの減衰率、すなわちフィルターの寿命判定を行うことで、正確に交換時期を算出することのできる空気清浄機が得られる。
【００１２】
また、本発明の空気清浄機は、室内空気汚れ検出手段の検出した汚れレベルとケース内空気汚れ検出手段の検出した汚れレベルと補正係数を演算処理し算出した空気清浄手段による汚れレベルの減衰率を表示する表示部を設け、減衰率が設定した閾値を下回った場合に表示の色を変化させるようにしたものである。
【００１３】
この手段により、使用者がフィルターの正確な交換時期を知ることができ、使い勝手のよい空気清浄機が得られる。
【００１４】
また、本発明の空気清浄機は、記憶手段を備え、前記記憶手段に少なくとも２つ以上の閾値を設け、一番低い閾値を下回った場合は送風手段の運転を停止するようにしたものである。
【００１５】
この手段により、フィルター交換時期に到達後の運転によるフィルターからの汚れ再放出や無駄な運転を防ぐことができ、使い勝手のよい空気清浄機が得られる。
【発明の効果】
【００１６】
本発明によれば、吸気口と排気口を有する本体ケースと、この本体ケース内に設けた空気清浄手段と、前記空気清浄手段を介して室内の空気を前記吸気口から前記本体ケース内に吸気し前記排気口より室内に排気する風路に配置した送風手段と、前記吸気口の近傍に配置し室内の空気の汚れを検出する室内空気汚れ検出手段と、前記空気清浄手段から前記排気口までの風路間に配置し本体ケース内の空気の汚れを検出するケース内空気汚れ検出手段を備えた空気清浄機において、前記室内空気汚れ検出手段の検出信号と前記ケース内空気汚れ検出手段の検出信号を演算処理する制御手段を設け、前記制御手段は、初回通電時に前記室内空気汚れ検出手段の検出信号と前記ケース内空気汚れ検出手段の検出信号から補正係数を算出し、前記室内空気汚れ検出手段の検出した汚れレベルと前記ケース内空気汚れ検出手段の検出した汚れレベルと前記補正係数を演算処理し前記空気清浄手段の作用による汚れレベルの減衰率を算出するようにしたことにより、汚れセンサーの個体ばらつきや感度差の影響を補正する補正係数を算出しフィルターの作用による汚れレベルの減衰率、すなわちフィルターの寿命判定を行うので、正確に交換時期を算出することのできる空気清浄機が得られる。
【図面の簡単な説明】
【００１７】
【図１】本発明の実施の形態１の空気清浄機の外観斜視図
【図２】同空気清浄機の断面図
【図３】同空気清浄機のにおいセンサー抵抗値とにおい汚れの相関図（（イ）「Ａ＞Ｂ」時のにおいセンサー抵抗値とにおい汚れの相関図、（ロ）「Ａ＝Ｂ」時のにおいセンサー抵抗値とにおい汚れの相関図、（ハ）「Ａ＜Ｂ」時のにおいセンサー抵抗値とにおい汚れの相関図）
【図４】同空気清浄機のブロック図
【図５】従来の空気清浄機の断面図
【発明を実施するための形態】
【００１８】
本発明の請求項１記載の空気清浄機は、吸気口と排気口を有する本体ケースと、この本体ケース内に設けた空気清浄手段と、前記空気清浄手段を介して室内の空気を前記吸気口から前記本体ケース内に吸気し前記排気口より室内に排気する風路に配置した送風手段と、
前記吸気口の近傍に配置し室内の空気の汚れを検出する室内空気汚れ検出手段と、前記空気清浄手段から前記排気口までの風路間に配置し本体ケース内の空気の汚れを検出するケース内空気汚れ検出手段を備えた空気清浄機において、前記室内空気汚れ検出手段の検出信号と前記ケース内空気汚れ検出手段の検出信号を演算処理する制御手段を設け、前記制御手段は、初回通電時に前記室内空気汚れ検出手段の検出信号と前記ケース内空気汚れ検出手段の検出信号から補正係数を算出し、前記室内空気汚れ検出手段の検出した汚れレベルと前記ケース内空気汚れ検出手段の検出した汚れレベルと前記補正係数を演算処理し前記空気清浄手段の作用による汚れレベルの減衰率を算出するようにしたものである。
【００１９】
これにより、制御手段が汚れセンサーの個体ばらつきや感度差の影響を補正する補正係数を算出しフィルターの作用による汚れレベルの減衰率、すなわちフィルターの寿命判定を行うので、正確に交換時期を算出することができるという効果を有する。
【００２０】
また、本発明の請求項２記載の空気清浄機は、室内空気汚れ検出手段の検出した汚れレベルとケース内空気汚れ検出手段の検出した汚れレベルと補正係数を演算処理し算出した空気清浄手段の作用による汚れレベルの減衰率を表示する表示部を設け、減衰率が設定した閾値を下回った場合に表示の色を変化させるようにしたものである。
【００２１】
これにより、表示部が汚れレベルの減衰率を表示するので、使用者がフィルターの正確な交換時期を知ることができ、使い勝手がよいという効果を有する。
【００２２】
また、本発明の請求項３記載の空気清浄機は、記憶手段を備え、前記記憶手段に少なくとも２つ以上の閾値を設け、一番低い閾値を下回った場合は送風手段の運転を停止するようにしたものである。
【００２３】
これにより、制御手段がフィルターの作用による汚れレベルの減衰率と記憶手段の閾値を比較判定するので、フィルター交換時期に到達後の運転によるフィルターからの汚れ再放出や無駄な運転を防ぐことができ、使い勝手がよいという効果を有する。
【００２４】
以下、本発明の実施の形態について図面を参照しながら説明する。
【００２５】
（実施の形態１）
図１に示すように、空気清浄機の本体１は略箱形に形成され、本体１の前側面に吸気口２と上部に排気口３を形成し、本体１内に空気を清浄化する空気浄化手段としてのフィルター４と、吸気口２から室内の空気を吸気しフィルター４を介して排気口３から室内に排気する送風手段としてのファンモーター５を備えている。すなわち、本体内には、室内の空気を吸気口２から吸気し排気口３より室内に排気する風路を備え、この風路にファンモーター５を備えている。
【００２６】
また吸気口２の近傍であって上部に室内のにおいを検出する室内汚れ検出手段としての室内においセンサー６を設けている。また図２に示すように、フィルター４から排気口３までの風路間に配置し本体１内の空気のにおいを検出するケース内空気汚れ検出手段としてのケース内においセンサー７と、本体１内部に配置した制御手段としてのマイクロコンピュータ８と、本体１前面にフィルター４の作用による汚れレベルの減衰率を表示する表示部９を備えている。また図４に示すように、記憶手段としてのＥＥＰＲＯＭ１０を備えている。
【００２７】
さて、図３に示すように、室内においセンサー６とケース内においセンサー７のセンサー感度差は３つのパターンに分類することができる。
【００２８】
まず、図３（イ）に室内においセンサー６のセンサー抵抗値Ａとケース内においセンサー７のセンサー抵抗値Ｂを比較し、室内においセンサー６のセンサー感度がケース内においセンサー７のセンサー感度より高い「Ａ＞Ｂ」の場合のにおいセンサー抵抗値と空気のにおい汚れの相関図の一例を示す。
【００２９】
つぎに、図３（ロ）に室内においセンサー６のセンサー感度とケース内においセンサー７のセンサー感度が同じ「Ａ＝Ｂ」の場合のにおいセンサー抵抗値と空気のにおい汚れの相関図の一例を示す。
【００３０】
さらに、図３（ハ）にケース内においセンサー７のセンサー感度が室内においセンサー６のセンサー感度より高い「Ｂ＞Ａ」の場合のにおいセンサー抵抗値と空気のにおい汚れの相関図の一例を示す。
【００３１】
上記構成において、マイクロコンピュータ８は初回通電時に空気清浄運転を停止した状態で室内においセンサー６の検出信号のセンサー抵抗値Ａとケース内においセンサー７の検出信号のセンサー抵抗値Ｂにより、補正係数Ｓ＝Ａ／Ｂを算出する。
【００３２】
そして、室内においセンサー６が空気のにおい汚れを検出し、ファンモーター５が回転し、マイクロコンピュータ８は、空気清浄運転時に室内においセンサー６のセンサー抵抗値Ａ１とケース内においセンサー７のセンサー抵抗値Ｂ１により、フィルター係数Ｔ＝Ａ１／Ｂ１を算出する。そして、フィルター４によるにおい汚れレベルの減衰率Ｚ＝Ｓ／Ｔを算出する。例えば、図３（イ）に示す状態においては、センサー抵抗値Ａ＝６０．０ｋΩ、センサー抵抗値Ｂ＝４０．０ｋΩにより補正係数Ｓ＝１．５となる。
【００３３】
そして、マイクロコンピュータ８は、におい汚れ発生時のセンサー抵抗値Ａ１＝４０．０ｋΩ時においてフィルター４がにおい汚れを取り除き清浄化している場合はセンサー抵抗値Ｂ１＝４０．０ｋΩとなり、フィルター係数Ｔ＝１．０となる。そして減衰率Ｚ＝１．５となる。また、フィルター４の性能が無くなりにおい汚れを取り除けていな場合は、におい汚れをより多く検知してセンサー抵抗値Ｂ１は低下して、例えばセンサー抵抗値Ｂ１＝２６．７ｋΩとなり、フィルター係数Ｔ＝１．５となる。その場合は減衰率Ｚ＝１．０となる。同様に、図３（ロ）に示す状態においては、センサー抵抗値Ａ＝６０．０ｋΩ、センサー抵抗値Ｂ＝６０．０ｋΩにより補正係数Ｓ＝１．０となる。そして、におい汚れ発生時のセンサー抵抗値Ａ１＝４０．０ｋΩ時においてフィルター４がにおい汚れを取り除き清浄化している場合はセンサー抵抗値Ｂ１＝６０．０ｋΩとなり、フィルター係数Ｔ＝０．６７となる。そして減衰率Ｚ＝１．５となる。また、フィルター４の性能が無くなりにおい汚れを取り除けていな場合はセンサー抵抗値Ｂ１＝４０．０ｋΩとなり、フィルター係数Ｔ＝１．０となる。その場合は減衰率Ｚ＝１．０となる。同様に、図３（ハ）に示す状態においては、センサー抵抗値Ａ＝４０．０ｋΩ、センサー抵抗値Ｂ＝６０．０ｋΩにより補正係数Ｓ＝０．６７となる。そして、におい汚れ発生時のセンサー抵抗値Ａ１＝２６．７ｋΩ時においてフィルター４がにおい汚れを取り除き清浄化している場合はセンサー抵抗値Ｂ１＝６０．０ｋΩとなり、フィルター係数Ｔ＝０．４５となる。そして減衰率Ｚ＝１．５となる。また、フィルター４の性能が無くなりにおい汚れを取り除けていな場合はセンサー抵抗値Ｂ１＝４０．０ｋΩとなり、フィルター係数Ｔ＝０．６７となる。その場合は減衰率Ｚ＝１．０となる。すなわちフィルター４の性能が有りにおい汚れを取り除けている間は減衰率Ｚは１よりも大きくなり、フィルター４の性能が無くなりにおい汚れを取り除けていない場合、つまり寿命到達時は減衰率Ｚ＝１．０となる。
【００３４】
また、ＥＥＰＲＯＭ１０に任意の閾値ＸとＹ、例えばＸ＝１．１、Ｙ＝１．０の記憶を設け、マイクロコンピュータ８はＥＥＰＲＯＭ１０の記憶した値と減衰率Ｚの値を比較判定し、閾値Ｘ＝１．１を下回った場合に表示部の色を変化させ、閾値Ｙ＝１．０を下回った場合にファンモーター５の回転を停止させる。
【００３５】
このように汚れセンサーの個体ばらつきや感度差の影響を補正する補正係数を算出しフィルターの寿命判定を行うので、正確にフィルター交換時期を算出することができる。
【００３６】
また使用者がフィルターの正確な交換時期を知ることができる。
【００３７】
またフィルター交換時期に到達後の運転によるフィルターからの汚れ再放出や無駄な運転を防ぐことができる。
【産業上の利用可能性】
【００３８】
正確にフィルターの寿命判定を行い、交換時期を報知することができるので、フィルターを備えた加湿空気清浄機や空気調和機にも適用できる。
【符号の説明】
【００３９】
１    本体
２    吸気口
３    排気口
４    フィルター（空気清浄手段）
５    ファンモーター（送風手段）
６    室内においセンサー（室内空気汚れ検出手段）
７    ケース内においセンサー（ケース内空気汚れ検出手段）
８    マイクロコンピュータ（制御手段）
９    表示部
１０  ＥＥＰＲＯＭ（記憶手段）
【図１】
2013063398.tif 000003
【図２】
2013063398.tif 000004
【図３】
2013063398.tif 000005
【図４】
2013063398.tif 000006
【図５】
2013063398.tif 000007